(57)【要約】【課題】画像表示システムの装置構成を簡素化することができる画像表示システム、表示装置、及び画像制御方法を提供する。【解決手段】画像表示システム１００は、複数の表示装置を備える。複数の表示装置は、互いに通信可能に接続される。複数の表示装置の各々は、画像を表示可能な表示部１１〜表示部１３を有する。複数の表示装置は、親機１と、子機２と、子機３とを含む。親機１は、親機１の表示部１１に表示される画像の出力を制御し、子機２の表示部１２に表示される画像の出力を制御し、かつ、子機３の表示部１３に表示される画像の出力を制御する。【選択図】図１
2020098281.tif 000002
【特許請求の範囲】
【請求項１】
互いに通信可能に接続される複数の表示装置を備え、
前記複数の表示装置の各々は、画像を表示可能な表示部を有し、
前記複数の表示装置は、親機と、子機とを含み、
前記親機は、前記親機の表示部に表示される画像の出力を制御し、かつ、前記子機の表示部に表示される画像の出力を制御する、画像表示システム。
【請求項２】
前記複数の表示装置の各々は、外部装置から画像データを取得可能な取得部を有し、
前記複数の表示装置のうち、前記外部装置から前記画像データを取得した表示装置が前記親機に設定され、前記親機以外の表示装置が前記子機に設定される、請求項１に記載の画像表示システム。
【請求項３】
前記親機は、前記外部装置から前記画像データを取得すると、前記子機に対して前記画像データを送信する、請求項２に記載の画像表示システム。
【請求項４】
前記親機は、前記親機の表示部、及び／又は、前記子機の表示部に、前記画像データが示す画像である表示画像を、静止画像で表示させ、又は、動画像で表示させる、請求項３に記載の画像表示システム。
【請求項５】
前記親機、及び／又は、前記子機の周囲に存在する人を検知する人感センサをさらに備え、
前記親機は、前記人感センサの検知結果に基づいて、前記親機の表示部、及び／又は、前記子機の表示部に、前記静止画像を表示させ、又は前記動画像を表示させる、請求項４に記載の画像表示システム。
【請求項６】
前記親機は、前記親機、及び／又は、前記子機に対して、前記表示画像が表示される座標を指定する指示を複数回行うことで、前記親機の表示部、及び／又は、前記子機の表示部に前記動画像で表示させる、請求項４又は請求項５に記載の画像表示システム。
【請求項７】
前記親機は、前記親機の表示部の座標系、及び／又は、前記子機の表示部の座標系で、複数の前記表示画像を移動させることで、前記親機の表示部、及び／又は、前記子機の表示部に前記複数の表示画像を順番に表示させる、請求項４から請求項６のいずれか１項に記載の画像表示システム。
【請求項８】
前記親機は、
前記親機の表示部の第１座標系と、前記子機の表示部の第２座標系との各々に前記表示画像を配置することで、前記親機の表示部と前記子機の表示部とに亘って前記表示画像を表示し、
前記第１座標系の前記表示画像と、前記第２座標系の前記表示画像とを縮小することで、前記親機の表示部と前記子機の表示部とに亘って表示されていた前記表示画像を縮小させる、請求項４から請求項６のいずれか１項に記載の画像表示システム。
【請求項９】
前記第１座標系に位置する前記表示画像の後面側、及び／又は、前記第２座標系に位置する前記表示画像の後面側に、前記表示画像がさらに配置される、請求項８に記載の画像表示システム。
【請求項１０】
前記親機は、前記親機の表示部、及び／又は、前記子機の表示部に前記表示画像を２重に表示して、前記２重に表示された前記表示画像のうち、前面側の前記表示画像を加工することで、後面側の前記表示画像を、前記親機の表示部上、及び／又は、前記子機の表示部上に出現させる、請求項４から請求項６のいずれか１項に記載の画像表示システム。
【請求項１１】
前記親機は、前記子機の位置を検出する位置検出部を有し、前記子機が複数存在する場合、前記位置検出部の検出結果に基づいて、前記複数の子機の各々の識別記号を決定する、請求項１から請求項１０のいずれか１項に記載の画像表示システム。
【請求項１２】
他の表示装置と通信可能に接続される表示装置であって、
画像を表示可能な表示部と、
前記表示部に表示される画像の出力を制御し、かつ、前記他の表示装置の表示部に表示される画像の出力を制御する制御部を備える、表示装置。
【請求項１３】
互いに通信可能に接続される複数の表示装置のうちの１つの表示装置が、画像データを取得する工程と、
前記画像データを取得した前記表示装置が親機に設定される工程と、
前記複数の表示装置のうち前記親機に設定された表示装置以外の表示装置が子機に設定される工程と、
前記親機が、前記親機の表示部に表示される画像の出力を制御し、かつ、前記子機の表示部に表示される画像の出力を制御する工程と
を備える、画像制御方法。
【発明の詳細な説明】
【技術分野】
【０００１】
本発明は、画像表示システム、表示装置、及び画像制御方法に関する。
【背景技術】
【０００２】
従来の画像表示システムは、複数の表示装置を並べて配置し、複数の表示装置の各々に画像を表示させることで、デジタルサイネージとして機能していた。しかし、複数の表示装置に画像データを表示させる際、表示装置毎にＵＳＢメモリーを差し込んで画像データを送信する作業を行わなければならず、煩雑であった。
【０００３】
特許文献１に記載の画像表示システムは、複数の画像表示装置と、画像制御装置とを備える。複数の画像表示装置は、無線通信機能を有する。画像制御装置は、複数の画像表示装置のそれぞれの位置を検出する。画像制御装置は、画像表示装置の位置情報に応じた表示画像を、対応する画像表示装置に無線送信する。その結果、複数の画像表示装置の各々は、自己の位置情報に対応する表示画像を表示する。
【先行技術文献】
【特許文献】
【０００４】
【特許文献１】特開２００５−１７３２９１号公報
【発明の概要】
【発明が解決しようとする課題】
【０００５】
しかし、複数の画像表示装置（表示装置）とは別に画像制御装置を用意しなければならず、部品点数が増加していた。また、画像制御装置を設置する際、複数の画像表示装置の各々と無線通信可能な場所を確保しなければならず、煩雑であった。その結果、画像表示システムの装置構成が複雑化していた。
【０００６】
本発明は、装置構成を簡素化することができる画像表示システム、表示装置、及び画像制御方法を提供する。
【課題を解決するための手段】
【０００７】
本発明の第１の局面によれば、画像表示システムは、複数の表示装置を備える。複数の表示装置は、互いに通信可能に接続される。前記複数の表示装置の各々は、画像を表示可能な表示部を有する。前記複数の表示装置は、親機と、子機とを含む。前記親機は、前記親機の表示部に表示される画像の出力を制御し、かつ、前記子機の表示部に表示される画像の出力を制御する。
【０００８】
本発明の第２の局面によれば、表示装置は、他の表示装置と通信可能に接続される。表示装置は、表示部と、制御部とを備える。表示部は、画像を表示可能である。制御部は、前記表示部に表示される画像の出力を制御し、かつ、前記他の表示装置の表示部に表示される画像の出力を制御する。
【０００９】
本発明の第３の局面によれば、画像制御方法は、互いに通信可能に接続される複数の表示装置のうちの１つの表示装置が、画像データを取得する工程を備える。画像制御方法は、前記画像データを取得した前記表示装置が親機に設定される工程を備える。画像制御方法は、前記複数の表示装置のうち前記親機に設定された表示装置以外の表示装置が子機に設定される工程を備える。画像制御方法は、前記親機が、前記親機の表示部に表示される画像の出力を制御し、かつ、前記子機の表示部に表示される画像の出力を制御する工程を備える。
【発明の効果】
【００１０】
本発明の画像表示システム、表示装置、及び画像制御方法によれば、画像表示システムの装置構成を簡素化することができる。
【図面の簡単な説明】
【００１１】
【図１】本発明の第１実施形態に係る画像表示システムの構成を示す図である。
【図２】第Ｎ表示装置の構成を示すブロック図である。
【図３】第１表示装置の設定動作を示すフロー図である。
【図４】所定のルールの一例を示す模式図である。
【図５】画像管理情報を示す図である。
【図６】親機の表示動作を示すフロー図である。
【図７】子機の表示動作を示すフロー図である。
【図８】（ａ）は親機及び子機の各々が表示する画像の第１状態を示す図である。（ｂ）は親機及び子機の各々が表示する画像の第２状態を示す図である。（ｃ）は親機及び子機の各々が表示する画像の第３状態を示す図である。
【図９】（ａ）は第１状態のときの子機の表示部を示す図である。（ｂ）は第２状態のときの子機の表示部を示す図である。（ｃ）は第３状態のときの子機の表示部を示す図である。
【図１０】第２表示指示を示す図である。
【図１１】（ａ）は親機及び子機の各々が表示する画像の第４状態を示す図である。（ｂ）は親機及び子機の各々が表示する画像の第５状態を示す図である。（ｃ）は親機及び子機の各々が表示する画像の第６状態を示す図である。
【図１２】（ａ）は第４状態のときに親機が生成する画像を示す図である。（ｂ）は第６状態のときに親機が生成する画像を示す図である。
【図１３】（ａ）は第４状態のときに子機が生成する画像を示す図である。（ｂ）は子機が生成する画像の階層を示す図である。（ｃ）は第６状態のときに子機が生成する画像を示す図である。
【図１４】（ａ）は第４状態のときに子機が生成する画像を示す図である。（ｂ）は第６状態のときに子機が生成する画像を示す図である。
【図１５】（ａ）は第４状態のときに子機が生成する画像を示す図である。（ｂ）は第６状態のときに子機が生成する画像を示す図である。
【図１６】（ａ）は親機及び子機の各々が表示する画像の第７状態を示す図である。（ｂ）は親機及び子機の各々が表示する画像の第８状態を示す図である。（ｃ）は親機及び子機の各々が表示する画像の第９状態を示す図である。（ｄ）は親機及び子機の各々が表示する画像の第１０状態を示す図である。
【図１７】親機が生成する画像の階層を示す図である。
【発明を実施するための形態】
【００１２】
本発明の実施形態について、図面を参照しながら説明する。なお、図中、同一又は相当部分については同一の参照符号を付して説明を繰り返さない。
【００１３】
［第１実施形態］
図１を参照して、本発明の第１実施形態に係る画像表示システム１００について説明する。図１は、本発明の第１実施形態に係る画像表示システム１００の構成を示す図である。画像表示システム１００は、例えば、デジタルサイネージとして機能する。
【００１４】
図１に示すように、画像表示システム１００は、複数の表示装置を備える。第１実施形態では、複数の表示装置は、第１表示装置１と、第２表示装置２と、第３表示装置３とで構成される。
【００１５】
表示装置は、例えば、液晶ディスプレイ（Ｌｉｑｕｉｄ  Ｃｒｙｓｔａｌ  Ｄｉｓｐｌａｙ）、ＥＬ（Ｅｌｅｃｔｒｏ−ＬｕｍｉＮｅｓｃｅＮｃｅ）ディスプレイ、又は、プラズマディスプレイ（ＰＤＰ）である。
【００１６】
第１表示装置１〜第３表示装置３は、例えば、ｂｌｕｅｔｏｏｔｈ（登録商標）又はＷｉｆｉによって、互いに無線通信可能に接続される。なお、第１表示装置１〜第３表示装置３は、例えば、シリアルケーブルを用いて、互いに有線通信可能に接続されてもよい。
【００１７】
図１は、第１方向Ｒ１と、第２方向Ｒ２とを示す。第１方向Ｒ１と第２方向Ｒ２とは、互いに垂直な方向である。
【００１８】
第１実施形態では、第１表示装置１〜第３表示装置３は、第１方向Ｒ１に沿って並んでいる。第２表示装置２は、第１表示装置１に対して第１方向Ｒ１の一方側に位置する。第３表示装置３は、第１表示装置１に対して第１方向Ｒ１の他方側に位置する。
【００１９】
次に、図２を参照して、第Ｎ表示装置Ｎについて説明する。第１実施形態では、Ｎは、１以上、３以下の整数である。図２は、第Ｎ表示装置Ｎの構成を示すブロック図である。図２に示す第Ｎ表示装置Ｎは、第１表示装置１（Ｎ＝１）〜第３表示装置３（Ｎ＝３）の各々の構成を示している。
【００２０】
図２に示すように、第Ｎ表示装置Ｎは、表示部１Ｎと、音出力部２Ｎと、通信部３Ｎと、入力部４Ｎと、操作部５Ｎと、位置検出部６Ｎと、記憶部７Ｎと、制御部８Ｎとを有する。
【００２１】
表示部１Ｎは、第１表示装置１の表示部１１（Ｎ＝１）〜第３表示装置３の表示部１３（Ｎ＝３）を示す。表示部１Ｎは、画像を表示する。表示部１Ｎは、例えば、液晶パネルのような画像を表示するパネルを含む。
【００２２】
音出力部２Ｎは、第１表示装置１の音出力部２１（Ｎ＝１）〜第３表示装置３の音出力部２３（Ｎ＝３）を示す。音出力部２Ｎは、音を出力する。音出力部２Ｎは、例えば、スピーカを含む。
【００２３】
通信部３Ｎは、第１表示装置１の通信部３１（Ｎ＝１）〜第３表示装置３の通信部３３（Ｎ＝３）を示す。通信部３Ｎは、他の表示装置と無線通信を行う。通信部３Ｎは、例えば、無線ＬＡＮボードのような通信モジュール（通信機器）を含む。
【００２４】
入力部４Ｎは、第１表示装置１の入力部４１（Ｎ＝１）〜第３表示装置３の入力部４３（Ｎ＝３）を示す。入力部４Ｎは、ＵＳＢメモリーのような外部記憶装置Ｚ（図１参照）を接続するための１又は複数のポートを含む。入力部４Ｎは、外部記憶装置Ｚから画像データＤを受け付ける。
【００２５】
入力部４Ｎは、本発明の取得部の一例である。
【００２６】
外部記憶装置Ｚは、本発明の外部装置の一例である。本発明の外部装置は、複数の表示装置以外の装置であり、複数の表示装置に画像データを送信可能な装置を示す。
【００２７】
操作部５Ｎは、第１表示装置１の操作部５１（Ｎ＝１）〜第３表示装置３の操作部５３（Ｎ＝３）を示す。操作部５Ｎは、第Ｎ表示装置Ｎに対する指示を受け付ける。操作部５Ｎは、例えば、第Ｎ表示装置Ｎの筐体に設けられる操作キー、及び／又はタッチパネルを含む。なお、操作部５Ｎは、リモートコントローラーから出力された赤外線コードを受信する受信部で構成されてもよい。
【００２８】
位置検出部６Ｎは、第１表示装置１の位置検出部６１（Ｎ＝１）〜第３表示装置３の位置検出部６３（Ｎ＝３）を示す。位置検出部６Ｎは、他の表示装置の位置を検出する。表示装置の位置は、詳細には、表示装置に備えられる表示部の位置を示す。
【００２９】
位置検出部６Ｎは、例えば、光源と、光反射器と、光受光器と、演算部とを含む。制御部８Ｎが位置検出部６Ｎの演算部と機能してもよい。位置検出部６Ｎは、例えば、以下の手順で他の表示装置の位置を検出する。まず、位置検出部６Ｎの光源が他の表示装置に向けて光を照射する。そして、他の表示装置の光反射器が位置検出部６Ｎから照射された光を反射する。そして、位置検出部６Ｎの光受光器が他の表示装置からの反射光を受光する。そして、位置検出部６Ｎの演算部は、位置検出部６Ｎが光を照射してから反射光を受光するまでに要した時間に基づいて、他の表示装置との間の距離を求める。その結果、位置検出部６Ｎに対する他の表示装置の位置が検出される。なお、位置検出部６Ｎが他の表示装置の位置を検出するための構成は、特に限定されず、第１実施形態のものでなくてもよい。例えば、特開２００５−１７３２９１に記載された技術、すなわち、画像制御装置が画像表示装置の位置を検出する技術を用いて、位置検出部６Ｎが他の表示装置の位置を検出してもよい。
【００３０】
記憶部７Ｎは、第１表示装置１の記憶部７１（Ｎ＝１）〜第３表示装置３の記憶部７３（Ｎ＝３）を示す。記憶部７Ｎは、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部７Ｎは、制御部８Ｎによって実行される種々のコンピュータープログラムを記憶する。
【００３１】
記憶部７Ｎは、画像データＤを記憶する。画像データＤは、外部記憶装置Ｚ（図１参照）から供給される。画像データＤの詳細な説明は後述する。
【００３２】
制御部８Ｎは、第１表示装置１の制御部８１（Ｎ＝１）〜第３表示装置３の制御部８３（Ｎ＝３）を示す。制御部８Ｎは、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＦＰＧＡ、及びＡＳＩＣのようなプロセッサーを含む。制御部８Ｎは、記憶部７Ｎに記憶されたコンピュータープログラムを実行することにより、第Ｎ表示装置Ｎの各要素を制御する。
【００３３】
次に、図１〜図５を参照して、第１表示装置１の設定動作について説明する。図３は、第１表示装置１の設定動作を示すフロー図である。
【００３４】
第１表示装置１の設定動作は、第１表示装置１が親機に設定された際に、第１表示装置１が行う動作である。
【００３５】
図１及び図３に示すように、ステップＳ１０において、第１表示装置１の入力部４１に対して外部記憶装置Ｚが接続される。
【００３６】
ステップＳ１１において、第１表示装置１の制御部８１は、第１表示装置１を親機に設定する。従って、複数の表示装置のうち外部記憶装置Ｚを接続された表示装置が、親機に設定される。例えば、第２表示装置２に外部記憶装置Ｚが接続された場合は第２表示装置２が親機に設定され、第３表示装置３に外部記憶装置Ｚが接続された場合は第３表示装置３が親機に設定される。第１実施形態では、第１表示装置１が親機に設定される。
【００３７】
以下では、第１表示装置１のことを親機１と記載することがある。
【００３８】
ステップＳ１２において、親機１の制御部８１は、第２表示装置２及び第３表示装置３を子機に設定する。従って、第１実施形態の画像表示システム１００では、複数の表示装置のうち外部記憶装置Ｚを接続されなかった表示装置が子機に設定される。
【００３９】
以下では、第２表示装置２のことを子機２と記載することがある。また、第３表示装置３のことを子機３と記載することがある。また、全ての子機（子機２及び子機３）をまとめて、子機と記載することがある。
【００４０】
ステップＳ１３において、親機１の位置検出部６１は、子機の位置を検出する。
【００４１】
ステップＳ１４において、親機１の制御部８１は、子機に対して所定のルールに従って識別番号を割り振る。識別番号は、親機１が子機を識別するための番号である。なお、識別番号に代えて、文字、数字、及び／又は、図形を含む識別記号が用いられてもよい。
【００４２】
以下では、図４を参照して、所定のルールの一例について説明する。図４は、所定のルールの一例を示す模式図である。
【００４３】
図４に示すように、親機と複数の子機とが第１方向Ｒ１に沿って並んでいる。所定のルールの一例では、親機を中心に第１方向Ｒ１の一方側に向かって認識番号が増加していくように、複数の子機に対して識別番号が割り振られる。この場合、まず、親機に対して第１方向Ｒ１の一方側に位置する２つの子機に認識番号が割り振られる。一方側に位置する２つ子機の認識番号は、第１方向Ｒ１の一方側に向かって、認識番号１、及び認識番号２の順番に増加していく。次に、親機に対して第１方向Ｒ１の他方側に位置する２つの子機に認識番号が割り振られる。他方側に位置する２つ子機の認識番号は、第１方向Ｒ１の一方側に向かって、認識番号３、及び認識番号４の順番に増加していく。なお、親機には、識別番号０が割り振られる。
【００４４】
第１実施形態では、図４に示す所定のルールに従って、子機に対して識別番号が割り振られる。
【００４５】
図１〜図３に示すように、親機１の制御部８１は、親機１に対して第１方向Ｒ１の一方側に位置する子機２に識別番号１を割り振る。また、親機１の制御部８１は、親機１に対して第１方向Ｒ１の他方側に位置する子機２に識別番号２を割り振る。
【００４６】
ステップＳ１５において、親機１の制御部８１は、外部記憶装置Ｚから画像データを取得する。画像データＤは、第１画像データＤ１と、第２画像データＤ２と、第３画像データＤ３とを含む。
【００４７】
ステップＳ１６において、親機１の制御部８１は、第１画像データＤ１〜第３画像データＤ３に管理番号を割り振る。管理番号は、第１画像データＤ１〜第３画像データＤ３を管理するための番号である。なお、管理番号に代えて、文字、数字、及び／又は、図形を含む管理記号が用いられてもよい。
【００４８】
本実施形態では、第１画像データＤ１〜第３画像データＤ３には、それぞれ、管理番号１〜管理番号３が割り振られる。その結果、親機１の制御部８１は、画像管理情報Ｊを生成する。
【００４９】
図５は、画像管理情報Ｊを示す図である。図５に示すように、画像管理情報Ｊは、管理番号１〜管理番号３と、第１画像データＤ１〜第３画像データＤ３とを、それぞれ対応付けた情報である。
【００５０】
図１及び図３に示すように、ステップＳ１７において、親機１の通信部３１は、子機２及び子機３に対して、画像管理情報Ｊを送信する。その結果、子機２及び子機３は、画像管理情報Ｊを取得する。子機２の記憶部７２と、子機３の記憶部７３とは、画像管理情報Ｊを記憶する。
【００５１】
また、親機１の通信部３１は、子機２に対して子機２の識別番号１を示す情報を送信すると共に、子機３に対して子機３の識別番号３を示す情報を送信する。その結果、子機２及び子機３は自身の識別番号を取得する。子機２の記憶部７２と、子機３の記憶部７３とは、それぞれ、自身の識別番号を記憶する。
【００５２】
ステップＳ１７に示す処理が終了することで、第１表示装置１の設定動作が完了する。
【００５３】
以上、図１、及び図３〜図５を参照して説明したように、複数の表示装置のうち、外部記憶装置Ｚを接続された表示装置が親機１に設定される。言い換えれば、複数の表示装置のうち、外部記憶装置Ｚから画像データＤを取得した表示装置が親機１に設定される。その結果、複数の表示装置のうち、ユーザーが所望の表示装置を親機１に設定することができる。
【００５４】
また、親機１は外部記憶装置Ｚから画像データＤを取得すると、子機（子機２及び子機３）に画像データＤを送信する。従って、親機１及び子機に画像データＤを取得させるために、親機１及び子機の各々に対して外部記憶装置Ｚを接続する作業を行う必要がない。その結果、親機１及び子機に画像データＤを容易に取得させることができる。
【００５５】
次に、図１、図２及び図６を参照して、親機１の表示動作について説明する。図６は、親機１の表示動作を示すフロー図である。
【００５６】
親機１の表示動作は、親機１が画像を表示する動作を示す。
【００５７】
図１及び図６に示すように、ステップＳ２０において、親機１の操作部５１が表示指示を受け付けたか否かを、制御部８１が判定する。表示指示は、親機１、及び子機（子機２及び子機３）に画像を表示させる指示を示す。
【００５８】
第１実施形態では、表示指示は、親機１、及び子機に動画像（アニメーション画像）を表示させる指示を示す。なお、表示指示は、親機１、及び子機に静止画像を表示させる指示でもよい。
【００５９】
操作部５１が表示指示を受け付けたと制御部８１が判定すると（ステップＳ２０で、Ｙｅｓ）、処理がステップＳ２１に移行する。操作部５１が表示指示を受け付けていないと制御部８１が判定すると（ステップＳ２０で、Ｎｏ）、ステップＳ２０に示す処理が繰り返される。
【００６０】
ステップＳ２１において、親機１の制御部８１が、表示指示に基づいて、第１表示指示と、第２表示指示と、第３表示指示とを作成する。
【００６１】
第１表示指示は、親機１に対する指示である。第１表示指示は、例えば、親機１の表示部１１に表示する画像の種類及び座標を指定する指示を含む。
【００６２】
第２表示指示は、子機２に対する指示である。第２表示指示は、例えば、子機２の表示部１２に表示する画像の種類及び座標を指定する指示を含む。
【００６３】
第３表示指示は、子機３に対する指示である。第３表示指示は、例えば、子機３の表示部１３に表示する画像の種類及び座標を指定する指示を含む。
【００６４】
ステップＳ２２において、親機１の通信部３１が子機２に対して第２表示指示を示す情報を送信するように、制御部８１が通信部３１を制御する。従って、親機１から子機２に対して、第２表示指示を示す情報が送信される。その結果、第２表示指示で指定された画像が子機２の表示部１２に表示される。
【００６５】
親機１の通信部３１が子機３に対して第３表示指示を示す情報を送信するように、制御部８１が通信部３１を制御する。従って、親機１から子機３に対して、第３表示指示を示す情報が送信される。その結果、第３表示指示で指定された画像が子機３の表示部１３に表示される。
【００６６】
ステップＳ２３において、親機１の制御部８１が、第１表示指示に基づいて表示部１１を制御する。その結果、第１表示指示で指定された画像が親機１の表示部１１に表示される。
【００６７】
ステップＳ２４において、親機１の操作部５１が終了指示を受け付けたか否かを、制御部８１が判定する。終了指示は、表示指示の実行を終了させる指示を示す。
【００６８】
操作部５１が終了指示を受け付けていないと制御部８１が判定すると（ステップＳ２４で、Ｎｏ）、処理がステップＳ２１に移行する。
【００６９】
操作部５１が終了指示を受け付けるまで、ステップＳ２１〜ステップＳ２４に示す処理が繰り返される。つまり、親機１が第１表示指示〜第３表示指示を作成し続ける。そして、第１表示指示〜第３表示指示が作成される毎に、親機１の表示部１１〜子機３の表示部１３に表示される画像が、それぞれ、最新の第１表示指示〜第３表示指示で指定された画像に変更される。その結果、親機１の表示部１１〜子機３の表示部１３に動画像が表示される。
【００７０】
操作部５１が終了指示を受け付けたと制御部８１が判定すると（ステップＳ２０で、Ｙｅｓ）、処理がステップＳ２５に移行する。
【００７１】
ステップＳ２５において、親機１の通信部３１が子機２及び子機３に対して終了指示を示す情報を送信するように、制御部８１が通信部３１を制御する。その結果、親機１から子機２及び子機３に対して、終了指示を示す情報が送信される。
【００７２】
ステップＳ２５に示す処理が終了すると、親機１の表示動作が終了する。
【００７３】
次に、図１、図２及び図７を参照して、子機２の表示動作について説明する。図７は、子機２の表示動作を示すフロー図である。
【００７４】
ステップＳ３０において、子機２の通信部３２が第２表示指示を受信したか否かを、子機２の制御部８２が判定する。なお、第２表示指示は、図６のステップＳ２２において、親機１から子機２に送信される。
【００７５】
通信部３２が第２表示指示を受信したと制御部８２が判定すると（ステップＳ３０で、Ｙｅｓ）、処理がステップＳ３１に移行する。通信部３２が第２表示指示を受信していないと制御部８２が判定すると（ステップＳ３０で、Ｎｏ）、ステップＳ３０に示す処理が繰り返される。
【００７６】
ステップＳ３１において、子機２の制御部８２が、第２表示指示に基づいて表示部１２を制御する。その結果、第２表示指示で指定された画像が子機２の表示部１２に表示される。
【００７７】
ステップＳ３２において、子機２の通信部３２が終了指示を受信したか否かを、子機２の制御部８２が判定する。なお、終了指示は、図６に示すステップ２５において、親機１から子機２に送信される。
【００７８】
通信部３２が終了指示を受信していないと制御部８２が判定すると（ステップＳ３２で、Ｎｏ）、処理がステップＳ３０に移行する。
【００７９】
通信部３２が終了指示を受信するまで、ステップＳ３０〜ステップＳ３２に示す処理が繰り返される。つまり、通信部３２が複数の第２表示指示を受信する。そして、通信部３２が第２表示指示を受信する毎に、子機２の表示部１２に表示される画像が、最新の第２表示指示で指定された画像に変更される。その結果、子機２の表示部１２に動画像が表示される。
【００８０】
通信部３２が終了指示を受信したと制御部８２が判定すると（ステップＳ３２で、Ｙｅｓ）、処理が終了する。
【００８１】
なお、子機３も、子機２と同様に表示動作を行う。この場合、子機３は、親機１からの第３表示指示に基づいて、表示動作を行う。その結果、子機３の表示部１３に動画像が表示される。
【００８２】
次に、図８（ａ）〜図１０を参照して、親機１及び子機（子機２及び子機３）の各々が表示する動画像の一例について説明する。動画像は、図６及び図７に示す親機１及び子機の表示動作により生成される。
【００８３】
図８（ａ）は、親機１及び子機の各々が表示する画像の第１状態を示す図である。図８（ｂ）は、親機１及び子機の各々が表示する画像の第２状態を示す図である。図８（ｃ）は、親機１及び子機の各々が表示する画像の第３状態を示す図である。
【００８４】
親機１及び子機の各々が表示する画像は、図８（ａ）に示す第１状態、図８（ｂ）に示す第２状態、及び図８（ｃ）に示す第３状態の順番に変化することで動画像を生成する。
【００８５】
図８（ａ）は、第１画像Ｇ１と、第２画像Ｇ２と、第３画像Ｇ３とを示す。第１画像Ｇ１は、第１画像データＤ１（図１参照）が示す画像である。第２画像Ｇ２は、第２画像データＤ２が示す画像である。第３画像Ｇ３は、第３画像データＤ３が示す画像である。
【００８６】
第１画像Ｇ１〜第３第Ｇ３は、本発明の表示画像の一例である。
【００８７】
図８（ａ）に示すように、親機１、子機２、及び子機３は、第１方向Ｒ１の一方側に向かって、子機３、親機１、及び子機２の順番に配置される。第１状態において、子機３の表示部１３には、第１画像Ｇ１が表示される。親機１の表示部１１には、第２画像Ｇ２が表示される。子機２の表示部１２には、第３画像Ｇ３が表示される。
【００８８】
以下では、画像が表示される領域の境界を画像フレームと記載することがある。
【００８９】
図８（ａ）は、第１画像フレームＦ１と、第２画像フレームＦ２と、第３画像フレームＦ３とを示す。第１画像フレームＦ１は、第１画像Ｇ１が表示される領域の境界を示す。第２画像フレームＦ２は、第２画像Ｇ２が表示される領域の境界を示す。第３画像フレームＦ３は、第３画像Ｇ３が表示される領域の境界を示す。
【００９０】
表示部１１〜表示部１３は、互いに同じ寸法を有する。第１画像フレームＦ１〜第３画像フレームＦ３は、それぞれ、表示部１１〜表示部１３の境界と同じ寸法を有する。図８（ａ）に示すように、第１状態において、第１画像フレームＦ１は表示部１３の境界上に位置しており、第２画像フレームＦ２は表示部１１の境界上に位置しており、第３画像フレームＦ３は表示部１２の境界上に位置している。
【００９１】
図８（ｂ）に示すように、第２状態において、子機３の表示部１３のうち、第１方向Ｒ１の他方側には第３画像Ｇ３の一部が表示され、第１方向Ｒ１の一方側には第１画像Ｇ１の一部が表示される。親機１の表示部１１のうち、第１方向Ｒ１の他方側には第１画像Ｇ１の残部が表示され、第１方向Ｒ１の一方側には第２画像Ｇ２の一部が表示される。子機２の表示部１２のうち、第１方向Ｒ１の他方側には第２画像Ｇ２の残部が表示され、第１方向Ｒ１の一方側には第３画像Ｇ３の残部が表示される。
【００９２】
図８（ｃ）に示すように、第３状態において、子機３の表示部１３には、第３画像Ｇ３が表示される。親機１の表示部１１には、第１画像Ｇ１が表示される。子機２の表示部１２には、第２画像Ｇ２が表示される。第３状態において、第１画像フレームＦ１は表示部１１の境界上に位置しており、第２画像フレームＦ２は表示部１２の境界上に位置しており、第３画像フレームＦ３は表示部１３の境界上に位置している。
【００９３】
図８（ａ）〜図８（ｃ）に示すように、子機３は、第１画像Ｇ１、第３画像Ｇ３、及び第２画像Ｇ２の順番で表示部１３に画像を表示する処理を繰り返す。親機１は、第２画像Ｇ２、第１画像Ｇ１、及び第３画像Ｇ３の順番で表示部１１に画像を表示する処理を繰り返す。子機２は、第３画像Ｇ３、第２画像Ｇ２、及び第１画像Ｇ１の順番で表示部１２に画像を表示する処理を繰り返す。
【００９４】
親機１は、子機２及び子機３に対して、表示している画像を親機１が変更するタイミングと同じタイミングで変更するように、第２表示指示及び第３表示指示により指示する。
【００９５】
次に、図９（ａ）〜図９（ｂ）を参照して、子機２に表示される画像が変更される処理のメカニズムについて説明する。図９（ａ）は、図８（ａ）の子機２の表示部１２を示す図である。図９（ｂ）は、図８（ｂ）の子機２の表示部１２を示す図である。図９（ｃ）は、図８（ｃ）の子機２の表示部１２を示す図である。また、図９（ａ）〜図９（ｃ）は、表示部１２の座標系を示す。
【００９６】
表示部１２の座標系において、第１方向Ｒ１の座標がＸ座標であり、第２方向Ｒ２の座標がＹ座標である。
【００９７】
図９（ａ）に示すように、表示部１２の座標系において、画像の端部の座標が、座標（０、０）〜座標（２ｘ、０）の範囲内の場合、画像が表示部１２に表示される。表示部１２の座標系において、画像の端部の座標が、座標（０、０）〜座標（２ｘ、０）の範囲内でない場合、画像が表示部１２に表示されない。画像の端部の座標は、言い換えれば、画像フレームの端部の座標を示す。また、端部は、第１方向Ｒ１の一方側、かつ、第２方向Ｒ２の一方側の端部を示す。
【００９８】
図９（ａ）において、座標Ａ１は、第３画像フレームＦ３の端部の座標を示す。座標Ａ２は、第２画像フレームＦ２の端部の座標を示す。
【００９９】
図９（ａ）に示すように、第３画像フレームＦ３の端部の座標Ａ１は、座標（０、０）である場合、第３画像Ｇ３の全部が表示部１２に表示されている。
【０１００】
第２画像Ｇ２は、第３画像Ｇ３に対して第１方向Ｒ１の他方側に配置される。第２画像Ｇ２は、第３画像Ｇ３に隣接している。第３画像フレームＦ３の端部の座標Ａ１が座標（０、０）である場合、第２画像フレームＦ２の端部の座標Ａ２は、座標（２ｘ＋１、０）である。この場合、第２画像Ｇ２は、表示部１２に表示されていない。
【０１０１】
図９（ｂ）に示すように、第３画像フレームＦ３の端部の座標Ａ１が座標（−ｘ、０）になると、第３画像Ｇ３のうち第１方向Ｒ１の他方側が表示部１２に表示されるが、第３画像Ｇ３のうち第１方向Ｒ１の一方側が表示部１２に表示されていない。
【０１０２】
第３画像フレームＦ３の端部の座標Ａ１が座標（−ｘ、０）になると、第２画像フレームＦ２の端部の座標Ａ２は、座標（ｘ＋１、０）になる。この場合、第２画像Ｇ２のうち第１方向Ｒ１の一方側が表示部１２に表示されるが、第２画像Ｇ２のうち第１方向Ｒ１の他方側が表示部１２に表示されない。
【０１０３】
図９（ｃ）に示すように、第２画像フレームＦ２の端部の座標Ａ２が座標（０、０）である場合、第２画像Ｇ２の全部が表示部１２に表示される。
【０１０４】
図９（ｃ）において、座標Ａ３は、第１画像フレームＦ１の端部の座標を示す。
【０１０５】
第１画像Ｇ１は、第２画像Ｇ２に対して第１方向Ｒ１の他方側に配置される。第１画像Ｇ１は、第２画像Ｇ２に隣接している。第２画像フレームＦ２の端部の座標Ａ２が座標（０、０）である場合、第１画像フレームＦ１の端部の座標Ａ３は、座標（２ｘ＋１、０）となる。この場合、第１画像Ｇ１は、表示部１２に表示されない。
【０１０６】
図９（ａ）〜図９（ｃ）に示すように、表示部１２上では、第１処理と、第２処理と、第３処理とが行われる。
【０１０７】
第１処理は、表示部１２に表示される画像が、第３画像Ｇ３から第２画像Ｇ２に徐々に変化する処理を示す。詳しくは、第１処理は、表示部１２に第３画像Ｇ３の全部が表示されると共に、第３画像Ｇ３に対して第１方向Ｒ１の他方側に第２画像Ｇ２が隣接している状態から、第３画像Ｇ３と第２画像Ｇ２とを第１方向Ｒ１の一方側に移動させることで、表示部１２に第２画像Ｇ２の全部を表示させる処理を示す。
【０１０８】
第２処理は、表示部１２に表示される画像が、第２画像Ｇ２から第１画像Ｇ１に徐々に変化する処理を示す。詳しくは、第２処理は、表示部１２に第２画像Ｇ２の全部が表示されると共に、第２画像Ｇ２に対して第１方向Ｒ１の他方側に第１画像Ｇ１が隣接している状態から、第２画像Ｇ２と第１画像Ｇ１とを第１方向Ｒ１の一方側に移動させることで、表示部１２に第１画像Ｇ１の全部を表示させる処理を示す。
【０１０９】
第３処理は、表示部１２に表示される画像が、第１画像Ｇ１から第３画像Ｇ３に徐々に変化する処理を示す。詳しくは、第３処理は、表示部１２に第１画像Ｇ１の全部が表示されると共に、第１画像Ｇ１に対して第１方向Ｒ１の他方側に第３画像Ｇ３が隣接している状態から、第１画像Ｇ１と第３画像Ｇ３とを第１方向Ｒ１の一方側に移動させることで、表示部１２に第３画像Ｇ３の全部を表示させる処理を示す。
【０１１０】
第１処理〜第３処理が繰り返されることで、表示部１２に表示される画像が、第３画像Ｇ３、第２画像Ｇ２、及び第１画像Ｇ１の順番で繰り返し変化する。また、第１画像Ｇ１〜第３画像Ｇ３は、第１方向Ｒ１の一方側に移動するように表示部１２に表示される。その結果、表示部１２に表示される画像がアニメーションのように変化する。
【０１１１】
第１処理〜第３処理において、第１画像Ｇ１〜第３画像Ｇ３を第１方向Ｒ１の一方側へ移動させる処理は、第２表示指示に基づいて行われる。
【０１１２】
以下では、図９（ｂ）を参照して、第１処理において、第３画像Ｇ３と第２画像Ｇ２とを第１方向Ｒ１の一方側に移動させる手順について説明する。
【０１１３】
親機１は、子機２に対して複数の第２表示指示を順次送信する。複数の第２表示指示の各々には、座標Ａ１を示す情報と、座標Ａ２を示す情報とが含まれる。複数の第２表示指示のうち、後に送信される第２表示指示ほど、座標Ａ１のＸ座標と、座標Ａ２のＸ座標との各々が第１方向Ｒ１の一方側に進んだ座標に変更される。
【０１１４】
子機２は、複数の第２表示指示を順次受信する。そして、子機２は、第２表示指示を受信する毎に、第２表示指示で規定された座標Ａ１に第３画像フレームＦ３を配置すると共に、第２表示指示で規定された座標Ａ２に第２画像フレームＦ２を配置する。その結果、第３画像Ｇ３と第２画像Ｇ２とが第１方向Ｒ１の一方側へ移動する。
【０１１５】
第２処理も、上記した第１処理と同様の手順により、第２画像Ｇ２と第１画像Ｇ１とを第１方向Ｒ１の一方側に移動させる。また、第３処理も、上記した第１処理と同様の手順により、第１画像Ｇ１と第３画像Ｇ３とを第１方向Ｒ１の一方側に移動させる。
【０１１６】
親機１についても子機２と同様の手順により、表示部１１に表示させる画像をアニメーションのように変化させる。また、子機３についても子機２と同様の手順により、表示部１３に表示させる画像をアニメーションのように変化させる。
【０１１７】
図９（ｂ）及び図１０を参照して、第２表示指示Ｈについて説明する。図１０は、第２表示指示Ｈを示す図である。
【０１１８】
図１０に示す第２表示指示Ｈは、子機２の表示部１２に表示される第２画像Ｇ２と第３画像Ｇ３とが図９（ｂ）に示す状態になる直前に、子機２に対して送信される。
【０１１９】
図１０に示すように、第２表示指示Ｈは、識別番号と、画像の管理番号と、表示倍率と、透過率と、Ｘ座標と、Ｙ座標と、音声レベルと、音量とを対応付けた情報である。
【０１２０】
第２表示指示Ｈにおいて、識別番号は、第２表示指示Ｈの宛先を示す。子機２は、第２表示指示Ｈを受信すると、記憶部７２に記憶される自身の識別番号２と、第２表示指示Ｈの識別番号２とを比較する。そして、子機２は、自身の識別番号２と、第２表示指示Ｈの識別番号２とが一致しているので、第２表示指示Ｈが子機２宛であることを認識する。その結果、子機２は、第２表示指示Ｈに基づいて動作する。
【０１２１】
第２表示指示Ｈにおいて、Ｘ座標とＹ座標とは、画像フレームの端部の座標を示す。第２表示指示Ｈにおいて、音声レベルは、音出力部２２（図２参照）から出力される音の左右の音量のバランスを示す。第２表示指示Ｈにおいて、音量は、音出力部２２から出力される音の音量を示す。
【０１２２】
子機２は、第２表示指示Ｈを受信すると、第２表示指示Ｈに基づいて動作する。以下では、子機２が第２表示指示Ｈに基づいて動作する手順について説明する。
【０１２３】
まず、子機２は、第２表示指示Ｈで規定された管理番号３の画像を表示倍率１００％、及び透過率０％にした状態で、管理番号３の画像の画像フレームの端部を座標（−ｘ、０）に配置する。管理番号３の画像は、第３画像データＤ３が示す画像である（図５参照）。すなわち、管理番号３の画像は、第３画像Ｇ３である。また、第３画像Ｇ３の画像フレームは、第３画像フレームＦ３である。従って、第３画像フレームＦ３の座標Ａ１が座標（−ｘ、０）となるように、第３画像Ｇ３が配置される（図９（ｂ）参照）。
【０１２４】
次に、子機２は、第２表示指示Ｈで規定された管理番号２の画像を表示倍率１００％、及び透過率０％にした状態で、管理番号２の画像の画像フレームの端部を座標（−ｘ、０）に配置する。管理番号２の画像は、第２画像データＤ２が示す画像である（図５参照）。すなわち、管理番号２の画像は、第２画像Ｇ２である。また、第２画像Ｇ２の画像フレームは、第２画像フレームＦ２である。従って、第２画像フレームＦ２の座標Ａ２が座標（ｘ＋１、０）となるように、第２画像Ｇ２が配置される（図９（ｂ）参照）。その結果、子機２による第２表示指示Ｈに基づいた動作が終了する。
【０１２５】
以上、図８（ａ）〜図１０を参照して説明したように、親機１は、親機１の表示部１１に表示される画像の出力を制御する。また、親機１は、子機２の表示部１２、及び子機３の表示部１３に表示される画像の出力を制御する。つまり、親機１が表示部１１〜表示部１２に表示される画像の出力を制御する。従って、表示部１１〜表示部１２に表示される画像の出力を制御するために、複数の表示装置（親機１、子機２、及び子機３）以外の制御用の装置を用意する必要がない。その結果、画像表示システム１００の装置構成を簡素化することができる。
【０１２６】
なお、表示部に表示される画像の出力を制御することは、画像データＤが示す画像のうちから表示部に表示する画像を決定すると共に、表示部の座標系での表示位置（座標）を決定し、決定した画像を決定した表示位置に配置することを示す。なお、表示部に表示される画像の出力を制御することは、画像の透過率を決定し、決定した透過率で画像を表示することがさらに含まれていてもよい。
【０１２７】
また、親機１の制御部８１は、親機１の表示部１１、及び／又は、子機（子機２及び子機３）の表示部に第１画像Ｇ１〜第３画像Ｇ３を、静止画像で表示させ、又は、動画像で表示させる。従って、静止画像、及び動画像のうち、ユーザーが所望の画像を親機１の表示部１１、及び／又は、子機の表示部に表示させることができる。
【０１２８】
また、親機１は、親機１、及び／又は、子機に対して、第１画像Ｇ１〜第３画像Ｇ３が表示される座標を指定する指示を複数回行うことで、親機１の表示部１１、及び／又は、子機の表示部に動画像を表示させる。従って、親機１の制御により親機１のみならず子機にも動画像を表示させることができるので、画像表示システム１００の装置構成を簡素化することができる。
【０１２９】
また、親機１は、親機１の表示部１１の座標系、及び／又は、子機の表示部の座標系で、第１画像Ｇ１〜第３画像Ｇ３を移動させることで、親機１の表示部１１、及び／又は、子機の表示部に第１画像Ｇ１〜第３画像Ｇ３を順番に表示させる。従って、親機１の表示部１１上、及び／又は、子機の表示部上で、第１画像Ｇ１〜第３画像Ｇ３がループ移動する動画像を生成することが可能になる。
【０１３０】
［第２実施形態］
図１１（ａ）〜図１５（ｂ）を参照して、本発明の第２実施形態に係る画像表示システム１００について説明する。第２実施形態では、親機１及び子機の各々が表示する動画像の二例について説明する。第２実施形態では、画像表示システム１００は、４つの表示装置（親機１、及び子機２〜子機４）を備える。４つの表示装置は、第１方向Ｒ１及び第２方向Ｒ２に沿って、２×２に配置される。
【０１３１】
図１１（ａ）は、親機１及び子機の各々が表示する画像の第４状態を示す図である。図１１（ｂ）は、親機１及び子機の各々が表示する画像の第５状態を示す図である。図１１（ｃ）は、親機１及び子機の各々が表示する画像の第６状態を示す図である。
【０１３２】
第４状態は、後述する縮小処理開始前の状態を示す。第５状態は、縮小処理の実行中の状態を示す。第６状態は、縮小処理の完了後の状態を示す。
【０１３３】
親機１及び子機の各々が表示する画像は、図１１（ａ）に示す第４状態、図１１（ｂ）に示す第５状態、及び図１１（ｃ）に示す第６状態の順番に変化することで動画像を生成する。
【０１３４】
図１１（ａ）に示すように、第２実施形態では、子機は、子機２〜子機４で構成される。また、図３に示すステップＳ１５において、親機１の制御部８１は、外部記憶装置Ｚから第４画像Ｇ４を示す画像データを取得する。その結果、ステップＳ１７において、子機２〜子機４は、第４画像Ｇ４の画像管理情報を取得する。
【０１３５】
第４画像Ｇ４は、本発明の表示画像の二例である。
【０１３６】
子機２の表示部１２は、親機１の表示部１１に対して第１方向Ｒ１の他方側に位置する。子機３の表示部１３は、子機２の表示部１２に対して第２方向の他方側に位置する。子機４の表示部１４は、子機３の表示部１３に対して第１方向Ｒ１の一方側に位置すると共に、親機１の表示部１１に対して第２方向Ｒ２の他方側に位置する。
【０１３７】
表示部１１〜表示部１４は、互いに同じ寸法を有する。表示部１１〜表示部１４は、時計回り方向に並んでいる。表示部１１〜表示部１４の各々の周囲は、額縁（ベゼル）で囲まれている。表示部１１〜表示部１４は、額縁を介して隣接している。
【０１３８】
表示部１１〜表示部１４の各々には、第４画像Ｇ４の一部が表示される。詳しくは、第４画像Ｇ４は、表示部１１〜表示部１４に亘って表示される。表示部１１には、第４画像Ｇ４の左上部分ｇ１が表示される。表示部１２には、第４画像Ｇ４の右上部分ｇ２が表示される。表示部１３には、第４画像Ｇ４の右下部分ｇ３が表示される。表示部１４には、第４画像Ｇ４の左下部分ｇ４が表示される。
【０１３９】
図１１（ａ）は、座標Ｂ１と、座標Ｂ２と、座標Ｂ３と、座標Ｂ４と、座標Ｂ５とを示す。座標Ｂ１は、表示部１１の一方側端部に位置する座標である。座標Ｂ２は、表示部１２の一方側端部に位置する座標である。座標Ｂ３は、表示部１３の一方側端部に位置する座標である。座標Ｂ４は、表示部１４の一方側端部に位置する座標である。座標Ｂ５は、表示部１３の他方側端部に位置する座標である。
【０１４０】
一方側端部は、第１方向Ｒ１の一方側、かつ、第２方向Ｒ２の一方側の端部を示す。他方側端部は、第１方向Ｒ１の他方側、かつ、第２方向Ｒ２の他方側の端部を示す。
【０１４１】
図１１（ｂ）及び図１１（ｃ）に示すように、第４画像Ｇ４が、図１１（ａ）に示す状態から、座標Ｂ１を基点にして画面表示の縮小処理が行われる。詳しくは、第４画像Ｇ４の全部が表示部１１に表示されるように、第４画像Ｇ４が縮小される。なお、縮小されることは、第１方向Ｒ１及び第２方向Ｒ２において等倍で縮小されることを示す。
【０１４２】
以下では、縮小される第４画像Ｇ４を、縮小画像Ｇ４１と記載することがある。
【０１４３】
縮小画像Ｇ４１が縮小されると、表示部１２〜表示部１４の各々には、第４画像Ｇ４が出現する。以下では、縮小画像Ｇ４１が縮小されることにより、表示部１２〜表示部１４に出現する第４画像Ｇ４を、それぞれ、出現画像Ｇ４２〜出現画像Ｇ４４と記載することがある。
【０１４４】
縮小画像Ｇ４１は、出現画像Ｇ４２〜出現画像Ｇ４４の前面に位置する。前面は、表示部１１〜表示部１４を視認しているユーザー側を示す。
【０１４５】
出現画像Ｇ４２〜出現画像Ｇ４４は、互いに同じ大きさを有する。出現画像Ｇ４２〜出現画像Ｇ４４は、図１１（ａ）に示す縮小画像Ｇ４１の四分の一の大きさを有する。
【０１４６】
図１１（ａ）に示す第４状態において、出現画像Ｇ４２〜出現画像Ｇ４４は、縮小画像Ｇ４１により隠れている。この場合、ユーザーは、出現画像Ｇ４２〜出現画像Ｇ４４を視認することができない。これに対し、ユーザーは、縮小画像Ｇ４１の全部を視認することができる。図１１（ｂ）に示すように、縮小画像Ｇ４１に縮小処理が開始されると、出現画像Ｇ４２の一部〜出現画像Ｇ４４の一部が縮小画像Ｇ４１により覆われなくなることで出現する。言い換えれば、出現画像Ｇ４２の残部〜出現画像Ｇ４４の残部が縮小画像Ｇ４１により隠れたままである。
【０１４７】
図１１（ｃ）に示すように、縮小画像Ｇ４１が出現画像Ｇ４２〜出現画像Ｇ４４の各々と同じ大きさになるまで縮小画像Ｇ４１が縮小すると、縮小処理が完了する。
【０１４８】
縮小処理完了後の縮小画像Ｇ４１は、表示部１１に表示され、出現画像Ｇ４２〜出現画像Ｇ４４の各々と同じ大きさを有する。縮小処理完了後は、表示部１２〜表示部１４には、それぞれ、出現画像Ｇ４２の全部〜出現画像Ｇ４４の全部が表示される。
【０１４９】
図１１（ａ）〜図１１（ｃ）に示す動画像は、ステップＳ２４（図６参照）において操作部５１が終了指示を受け付けるまで、繰り返し表示される。
【０１５０】
次に、図１２（ａ）〜図１５（ｂ）を参照して、縮小処理のメカニズムについて説明する。
【０１５１】
図１２（ａ）は、図１１（ａ）に示す第４状態のときに、親機１が生成する画像を示す図である。図１２（ｂ）は、図１１（ｃ）に示す第６状態のときに、親機１が生成する画像を示す図である。また、図１２（ａ）及び図１２（ｂ）は、表示部１１の座標系を示す。
【０１５２】
図１２（ａ）は、第４画像フレームＦ４を示す。図１２（ａ）に示すように、縮小処理開始前の第４画像フレームＦ４の寸法は、表示部１１の境界の４倍の寸法を有する。第４画像フレームＦ４の一方側端部は、座標Ｂ１上に位置する。縮小処理開始前の第４画像フレームＦ４の他方側端部は、座標Ｂ５上に位置する。第４画像フレームＦ４内には第４画像Ｇ４が配置される。縮小処理開始前において、第４画像フレームＦ４内の第４画像Ｇ４の一部が、図１１（ａ）に示す左上部分ｇ１を構成する。
【０１５３】
縮小処理が行われる際、親機１の制御部８１は、座標Ｂ１を基点にして第４画像フレームＦ４を縮小させる。この場合、第４画像フレームＦ４と共に、第４画像フレームＦ４内の第４画像Ｇ４が縮小する。
【０１５４】
図１２（ｂ）に示すように、縮小処理が完了すると、第４画像フレームＦ４が表示部１１の境界上に位置する。また、第４画像フレームＦ４内の第４画像Ｇ４が、図  １１（ｃ）に示す縮小処理完了後の縮小画像Ｇ４１になる。
【０１５５】
図１３（ａ）は、図１１（ａ）に示す第４状態のときに、子機２が生成する画像を示す図である。図１３（ｂ）は、子機２が生成する画像の階層を示す図である。図１３（ｃ）は、図１１（ｃ）に示す第６状態のときに、子機２が生成する画像を示す図である。また、図１３（ａ）〜図１３（ｃ）は、表示部１２に座標系を示す。
【０１５６】
図１３（ａ）は、第５画像フレームＦ５と、第６画像フレームＦ６とを示す。図１３（ａ）及び図１３（ｂ）に示すように、第５画像フレームＦ５は、第６画像フレームＦ６の前面に位置する。
【０１５７】
第５画像フレームＦ５の一方側端部は、座標Ｂ１上に位置する。縮小処理開始前の第５画像フレームＦ５の他方側端部は、座標Ｂ５上に位置する。第５画像フレームＦ５内には第４画像Ｇ４が配置される。縮小処理開始前において、第５画像フレームＦ５内の第４画像Ｇ４の一部が、図１１（ａ）に示す右上部分ｇ２を構成する。
【０１５８】
第６画像フレームＦ６は、表示部１２の境界上に位置する。第６画像フレームＦ６内には出現画像Ｇ４２が配置される。
【０１５９】
縮小処理開始前において、第５画像フレームＦ５内の第４画像Ｇ４は、第６画像フレームＦ６内の出現画像Ｇ４２の前面に位置しており、出現画像Ｇ４２の全部を覆っている。従って、縮小処理開始前は、表示部１２には出現画像Ｇ４２が表示されない。
【０１６０】
縮小処理が行われる際、子機２の制御部８２は、座標Ｂ１を基点にして第５画像フレームＦ５を縮小させる。この場合、第５画像フレームＦ５と共に、第５画像フレームＦ５内の第４画像Ｇ４が縮小する。
【０１６１】
図１３（ｃ）に示すように、縮小処理の完了後、第５画像フレームＦ５は、第６画像フレームＦ６に対して第１方向Ｒ１の一方側に位置する。第５画像フレームＦ５は、表示部１１の境界上に位置する。第５画像フレームＦ５内の第４画像Ｇ４は、表示部１２から離間しており、表示部１２には表示されない。その結果、出現画像Ｇ４２が表示部１２に表示される。
【０１６２】
図１４（ａ）は、図１１（ａ）に示す第４状態のときに、子機３が生成する画像を示す図である。図１４（ｂ）は、図１１（ｃ）に示す第６状態のときに、子機３が生成する画像を示す図である。また、図１４（ａ）及び図１４（ｂ）は、表示部１３の座標系を示す。
【０１６３】
図１４（ａ）は、第７画像フレームＦ７と、第８画像フレームＦ８とを示す。図１４（ａ）に示すように、第７画像フレームＦ７は、第８画像フレームＦ８の前面に位置する。
【０１６４】
第７画像フレームＦ７の一方側端部は、座標Ｂ１上に位置する。縮小処理開始前の第７画像フレームＦ７の他方側端部は、座標Ｂ５上に位置する。第７画像フレームＦ７内には第４画像Ｇ４が配置される。縮小処理開始前において、第７画像フレームＦ７内の第４画像Ｇ４の一部が、図１１（ａ）に示す右下部分ｇ３を構成する。
【０１６５】
第８画像フレームＦ８は、表示部１３の境界上に位置する。第８画像フレームＦ８内には出現画像Ｇ４３が配置される。
【０１６６】
縮小処理開始前において、第７画像フレームＦ７内の第４画像Ｇ４は、第８画像フレームＦ８内の出現画像Ｇ４３の前面に位置しており、出現画像Ｇ４３を覆っている。従って、縮小処理開始前は、表示部１３には出現画像Ｇ４３が表示されない。
【０１６７】
縮小処理が行われる際、子機３の制御部８３は、座標Ｂ１を基点にして第７画像フレームＦ７を縮小させる。この場合、第７画像フレームＦ７と共に、第７画像フレームＦ７内の第４画像Ｇ４が縮小する。
【０１６８】
図１４（ｂ）に示すように、縮小処理の完了後、第７画像フレームＦ７は、第８画像フレームＦ８に対して第１方向Ｒ１の一方側、かつ、第２方向Ｒ２の一方側に位置する。第７画像フレームＦ７は、表示部１１の境界上に位置する。第７画像フレームＦ７内の第４画像Ｇ４は、表示部１３から離間しており、表示部１３には表示されない。その結果、出現画像Ｇ４３が表示部１３に表示される。
【０１６９】
図１５（ａ）は、図１１（ａ）に示す第４状態のときに、子機４が生成する画像を示す図である。図１５（ｂ）は、図１１（ｃ）に示す第６状態のときに、子機４が生成する画像を示す図である。また、図１５（ａ）及び図１５（ｂ）は、表示部１４の座標系を示す。
【０１７０】
図１５（ａ）は、第９画像フレームＦ９と、第１０画像フレームＦ１０とを示す。図１５（ａ）に示すように、第９画像フレームＦ９は、第１０画像フレームＦ１０の前面に位置する。
【０１７１】
第９画像フレームＦ９の一方側端部は、座標Ｂ１上に位置する。縮小処理開始前の第９画像フレームＦ９の他方側端部は、座標Ｂ５上に位置する。第９画像フレームＦ９内には第４画像Ｇ４が配置される。縮小処理開始前において、第９画像フレームＦ９内の第４画像Ｇ４の一部が、図１１（ａ）に示す左下部分ｇ４を構成する。
【０１７２】
第１０画像フレームＦ１０は、表示部１４の境界上に位置する。第１０画像フレームＦ１０内には出現画像Ｇ４４が配置される。
【０１７３】
縮小処理開始前において、第９画像フレームＦ９内の第４画像Ｇ４は、第１０画像フレームＦ１０の出現画像Ｇ４４の前面に位置しており、出現画像Ｇ４４を覆っている。従って、縮小処理開始前は、表示部１３には出現画像Ｇ４４が表示されない。
【０１７４】
縮小処理が行われる際、子機４の制御部８４は、座標Ｂ１を基点にして第９画像フレームＦ９を縮小させる。この場合、第９画像フレームＦ９と共に、第９画像フレームＦ９内の第４画像Ｇ４が縮小する。
【０１７５】
図１５（ｂ）に示すように、縮小処理の完了後、第９画像フレームＦ９は、第１０画像フレームＦ１０に対して第２方向Ｒ２の一方側に位置する。第９画像フレームＦ９は、表示部１１の境界上に位置する。第９画像フレームＦ９内の第４画像Ｇ４は、表示部１４から離間しており、表示部１４には表示されない。その結果、出現画像Ｇ４４が表示部１４に表示される。
【０１７６】
以上、図１１（ａ）〜図１５（ｂ）を参照して説明したように、親機１は、親機１の表示部１１の第１座標系と、子機（子機２〜子機３）の表示部の第２座標系との各々に第４画像Ｇ４を配置することで、親機１の表示部１１と子機の表示部とに亘って縮小画像Ｇ４１を表示する。そして、親機１は、第１座標系の第４画像Ｇ４と、第２座標系の第４画像Ｇ４とを縮小することで、縮小画像Ｇ４１を縮小させる（図１１（ｃ）参照）。その結果、複数の表示部（表示部１１〜表示部１４）に亘って表示される縮小画像Ｇ４１を縮小させつつ、複数の表示部のうちの１つの表示部内に配置させる動画像が生成される。第２実施形態では、縮小画像Ｇ４１は、縮小後に表示部１１内に配置される。
【０１７７】
また、第１座標系に位置する第５画像Ｇ５の後面側、及び／又は、第２座標系に位置する第５画像Ｇ５の後面側に第５画像Ｇ５がさらに配置される。第２実施形態では、第２座標系に位置する第５画像Ｇ５の後面側に第５画像Ｇ５（出現画像Ｇ４２〜出現画像Ｇ４４）がさらに配置される（図１３（ａ）〜図１５（ｂ）参照）。従って、縮小画像Ｇ４１を縮小させることで、子機の表示部上に出現画像Ｇ４２〜出現画像Ｇ４４を出現させることができる。
【０１７８】
［第３実施形態］
図１６（ａ）〜図１７を参照して、本発明の第３実施形態に係る画像表示システム１００について説明する。第３実施形態では、親機１及び子機の各々が表示する動画像の三例について説明する。第３実施形態では、画像表示システム１００は、３つの表示装置（親機１、子機２、及び子機３）を備える。３つの表示装置は、第１方向Ｒ１に沿って並ぶ。
【０１７９】
図１６（ａ）は、親機１及び子機の各々が表示する画像の第７状態を示す図である。図１６（ｂ）は、親機１及び子機の各々が表示する画像の第８状態を示す図である。図１６（ｃ）は、親機１及び子機の各々が表示する画像の第９状態を示す図である。図１６（ｄ）は、親機１及び子機の各々が表示する画像の第１０状態を示す図である。図１７は、親機１が生成する画像の階層を示す図である。
【０１８０】
親機１及び子機の各々が表示する画像は、図１６（ａ）に示す第７状態、図１６（ｂ）に示す第８状態、図１６（ｃ）に示す第９状態、及び図１６（ｄ）に示す第１０状態の順番に変化することで動画像を生成する。
【０１８１】
図１６（ａ）に示すように、第３実施形態では、子機は、子機２と子機３とで構成される。また、図３に示すステップＳ１５において、親機１の制御部８１は、外部記憶装置Ｚから第５画像Ｇ５を示す画像データを取得する。その結果、図３に示すステップＳ１７において、子機２と子機３とは、第５画像Ｇ５の画像管理情報を取得する。
【０１８２】
第５画像Ｇ５は、本発明の表示画像の三例である。
【０１８３】
親機１、子機２、及び子機３は、第１方向Ｒ１に沿って並んでいる。親機１、子機２、及び子機３は、第１方向Ｒ１の他方側に向かって、親機１、子機２、及び子機３の順番に並んでいる。
【０１８４】
図１６（ａ）は、第１１画像フレームＦ１１〜第１６画像フレームＦ１６を示す。図１６（ａ）及び図１７に示すように、第１１画像フレームＦ１１と第１２画像フレームＦ１２とは、表示部１１の境界上に位置する。第１１画像フレームＦ１１内には、第５画像Ｇ５が配置される。また、第１２画像フレームＦ１２内にも第５画像Ｇ５が配置される。第１１画像フレームＦ１１は、第１２画像フレームＦ１２の前面に位置する。表示部１１には、第５画像Ｇ５が２重に配置される。
【０１８５】
第１３画像フレームＦ１３と第１４画像フレームＦ１４とは、表示部１２の境界上に位置する。第１３画像フレームＦ１３内には、第５画像Ｇ５が配置される。また、第１４画像フレームＦ１４内にも第５画像Ｇ５が配置される。第１３画像フレームＦ１３は、第１４画像フレームＦ１４の前面に位置する。表示部１２には、第５画像Ｇ５が２重に配置される。
【０１８６】
第１５画像フレームＦ１５と第１６画像フレームＦ１６とは、表示部１３の境界上に位置する。第１５画像フレームＦ１５内には、第５画像Ｇ５が配置される。また、第１６画像フレームＦ１６内にも第５画像Ｇ５が配置される。第１５画像フレームＦ１５は、第１６画像フレームＦ１６の前面に位置する。表示部１３には、第５画像Ｇ５が２重に配置される。
【０１８７】
図１４（ｂ）に示すように、表示部１１には、第１エフェクト画像が表示される。第１エフェクト画像は、親機１の制御部８１が第１１画像フレームＦ１１内の画像を加工することで生成される。第１エフェクト画像は、第１１画像フレームＦ１１内の第５画像Ｇ５が剥がれるように見える画像である。
【０１８８】
図１４（ｃ）に示すように、第１エフェクト画像が表示されることで、表示部１１には、第１２画像フレームＦ１２内の第５画像Ｇ５が表示され始める。表示部１１に続いて、表示部１２には、第２エフェクト画像が表示される。第２エフェクト画像は、子機２の制御部８２が第１３画像フレームＦ１３内の画像を加工することで生成される。第２エフェクト画像は、第１３画像フレームＦ１３内の第５画像Ｇ５が剥がれるように見える画像である。
【０１８９】
図１４（ｄ）に示すように、表示部１１に第１エフェクト画像が表示され続けることで、第１２画像フレームＦ１２内の第５画像Ｇ５の表示領域が図１４（ｃ）に示す状態よりも増大する。表示部１２には、第１４画像フレームＦ１４内の第５画像Ｇ５が表示され始める。表示部１２に続いて、表示部１３には、第３エフェクト画像が表示される。第３エフェクト画像は、子機３の制御部８３が第１５画像フレームＦ１５内の画像を加工することで生成される。第３エフェクト画像は、第１５画像フレームＦ１５内の第５画像Ｇ５が剥がれるように見える画像である。
【０１９０】
第１エフェクト画像〜第３エフェクト画像の各々は、ステップＳ２４（図６参照）において操作部５１が終了指示を受け付けるまで、繰り返し表示される。
【０１９１】
以上、図１６（ａ）〜図１７を参照して説明したように、親機１は、親機１の表示部１１、及び／又は、子機（子機２及び子機３）の表示部に第５画像Ｇ５を２重に表示する。そして、親機１は、２重に表示された第５画像Ｇ５のうち、前面側の第５画像Ｇ５を加工することで、後面側の第５画像Ｇ５を、親機１の表示部１１上、及び／又は、子機の表示部上に出現させる。従って、親機１の表示部１１上、及び／又は、子機の表示部上で、第５画像Ｇ５が剥がされても第５画像Ｇ５がさらに出現するように見える動画像を生成することが可能になる（図１６（ａ）〜図１６（ｄ）参照）。
【０１９２】
なお、第３実施形態では、第１エフェクト画像が表示されるタイミングと、第２エフェクト画像が表示されるタイミングと、第３エフェクト画像とが表示されるタイミングとが異なっている。しかし、本発明はこれに限定されない。第１エフェクト画像が表示されるタイミングと、第２エフェクト画像が表示されるタイミングと、第３エフェクト画像とが表示されるタイミングとが同じでもよい。
【０１９３】
また、第１１画像フレームＦ１１内に配置される画像〜第１６画像フレームＦ１６内に配置される画像のうちの一部又は全部が、互いに異なっていてもよい。
【０１９４】
以上、図面（図１〜図１７）を参照しながら本発明の実施形態について説明した。但し、本発明は、上記の実施形態に限られるものではなく、その要旨を逸脱しない範囲で種々の態様において実施することが可能である（例えば、（１）〜（８））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１９５】
（１）親機１及び子機が互いの位置を予め認識している場合は、図３のステップＳ１３に示す処理は行われなくてもよい。ステップＳ１３に示す処理は、親機１の位置検出部６１が子機の位置を検出する処理である。
【０１９６】
（２）第１実施形態〜第３実施形態では、親機１及び子機は、互いに無線通信可能に接続される。しかし、本発明はこれに限定されない。親機１及び子機は、互いに有線通信可能に接続されてもよい。この場合、親機１及び子機は、例えば、デイジーチェーン状に接続される。
【０１９７】
（３）第１実施形態において、表示部１Ｎに表示される画像が変更される毎に、音出力部２Ｎから出力される音（例えば、音楽）が変更されてもよい。すなわち、表示部１Ｎに第１画像Ｇ１が表示されると第１画像Ｇ１用の音が出力され、第２画像Ｇ２が表示されると第２画像Ｇ２用の音が出力され、さらに、第３画像Ｇ３が表示されると第３画像Ｇ３用の音が出力されてもよい。この場合、例えば、第１画像Ｇ１〜第３画像Ｇ３のうち表示部１Ｎに表示される領域が広い方の画像と対応した音が出力される。
【０１９８】
また、表示部１Ｎに表示される画像の位置に応じて、音出力部２Ｎの左右の音量のバランスを調整してもよい。例えば、表示部１Ｎ内で第１画像Ｇ１が左方に移動するように表示されている場合、第１画像Ｇ１が表示部１Ｎ内で右寄りに位置するときは音出力部２Ｎの左の音量よりも右の音量を大きくする。また、第１画像Ｇ１が表示部１Ｎ内で左寄りに位置するときは音出力部２Ｎの右の音量よりも左の音量を大きくする。
【０１９９】
（４）第１実施形態〜第３実施形態では、操作部５Ｎが開始の操作を受け付けると、親機１及び子機の各々が動画像の表示を開始して、操作部５Ｎが終了の操作を受け付けると、親機１及び子機の各々が動画像の表示を終了する。しかし、本発明はこれに限定されない。画像表示システム１００は、人感センサ９Ｎを備えていてもよい（図２参照）。人感センサ９Ｎは、親機１、及び／又は、子機の周囲に存在する人を検知する。この場合、人感センサ９Ｎの検知結果に基づいて、親機１の表示部１１、及び／又は、子機の表示部に、静止画像を表示させ、又は、動画像を表示させる。例えば、人感センサ９Ｎが人を検知すると、親機１及び子機の各々が静止画像の表示、又は動画像の表示を開始する。そして、人感センサ９Ｎが人の検知を終了すると、親機１及び子機の各々が静止画像の表示、又は動画像の表示を終了する。この場合、例えば、親機１が人感センサ９Ｎと接続されておらず、子機が人感センサ９Ｎと接続されている場合、子機が無線通信又は有線通信により人感センサ９Ｎの検知結果を親機１に送信してもよい。そして、親機１は、人感センサ９Ｎの検知結果を受信すると、人感センサ９Ｎの検知結果に基づいて動作する。
【０２００】
（５）第１実施形態〜第３実施形態では、親機１から子機に対して表示指示が順次送信されることで、子機に対して画像に関する指示が逐次行われる。しかし、本発明は、これに限定されない。例えば、動画像の表示パターンが一定である場合、親機１は、子機に対して送信する表示指示を、１つの表示指示で済ませてもよい。つまり、親機１は、子機に対して、１つの表示指示により動画像の表示パターンを通知する。
【０２０１】
（６）図８（ｂ）に示すように、表示部１Ｎに複数の画像が表示されている状態で、操作部５Ｎが終了指示を受け付け、又は、人感センサ９Ｎが人の検知を終了した場合、表示部１Ｎに複数の画像が表示されている状態が保持される。この場合、表示部１Ｎに表示される画像が１つの画像になるように、制御部８Ｎが表示部１Ｎを制御してもよい。例えば、表示部１Ｎに第１画像Ｇ１と第２画像Ｇ２とが表示されている状態で、操作部５Ｎが終了指示を受け付け、又は、人感センサ９Ｎが人の検知を終了した場合、表示部１Ｎに表示される画像が第１画像Ｇ１のみになるように、制御部８Ｎが表示部１Ｎを制御する。
【０２０２】
（７）第１実施形態では、外部記憶装置Ｚは、ＵＳＢメモリーである。しかし、本発明はこれに限定されない。外部記憶装置Ｚは、画像データを記憶する記憶部、及び／又は、画像データＤを外部から受信する受信部を有しており、かつ、親機１と有線通信可能、及び／又は、無線通信可能な機器であればよい。外部記憶装置Ｚは、例えば、ＰＣ（Ｐｅｒｓｏｎａｌ  Ｃｏｍｐｕｔｅｒ）であり、ｂｌｕｅｔｏｏｔｈ（登録商標）又はＷｉｆｉによる無線通信により親機１に画像データを送信してもよい。
【０２０３】
（８）第１実施形態〜第３実施形態において、親機１の操作部５１により、動画像の表示速度を変更できてもよい。この場合、例えば、操作部５１から表示速度を変更する指示を制御部８１に入力する際、親機１の表示部１１には表示速度を変更する指示を入力するためのメニュー画面が表示される。
【産業上の利用可能性】
【０２０４】
本発明は、画像表示システム、表示装置、及び画像制御方法の分野に利用可能である。
【符号の説明】
【０２０５】
１      親機
２、３、４  子機
１００  画像表示システム
１Ｎ    表示部
４Ｎ    入力部（取得部）
８Ｎ    制御部
Ｄ      画像データ
Ｚ      外部記憶部（外部装置）
【図１】
2020098281.tif 000003
【図２】
2020098281.tif 000004
【図３】
2020098281.tif 000005
【図４】
2020098281.tif 000006
【図５】
2020098281.tif 000007
【図６】
2020098281.tif 000008
【図７】
2020098281.tif 000009
【図８】
2020098281.tif 000010
【図９】
2020098281.tif 000011
【図１０】
2020098281.tif 000012
【図１１】
2020098281.tif 000013
【図１２】
2020098281.tif 000014
【図１３】
2020098281.tif 000015
【図１４】
2020098281.tif 000016
【図１５】
2020098281.tif 000017
【図１６】
2020098281.tif 000018
【図１７】
2020098281.tif 000019